(57)【要約】      （修正有）【課題】車椅子に座った人用のキッチンで車椅子に座った人が台所作業をするとき、使用する料理用品類を容易に用意することができる昇降引出装置を提供すること。【解決手段】昇降引出装置２０は、車椅子に座った人用のキッチンの上面部１１の下側に取付けられるパンタグラフ機構と、パンタグラフ機構に取付けられ上下方向に移動可能の取付けブラケットと、取付けブラケットに斜め前方に移動可能に取付けられる引出２１と、巻取りローラに一端が固定され、取付けブラケットに取付けられたガイドローラに掛けられ、他端が引出２１の端部に固定されるベルトとを備え、ベルトが巻戻されるとき、引出２１が所定位置まで下降し、さらに斜め前方に引出すこととした。【選択図】図１
2007185448.tif 000002
【特許請求の範囲】
【請求項１】
箱体の上面部の下側に取付けられるパンタグラフ機構と、前記パンタグラフ機構に取付けられ、前記パンタグラフ機構により上下方向に移動可能の取付けブラケットと、前記取付けブラケットにスライダを介し斜め前方に移動可能に取付けられる引出と、前記上面部の下側に取付けられる巻取りローラに一端が固定され、前記取付けブラケットに取付けられたガイドローラに掛けられ、他端が前記引出の端部に固定されるベルトまたはワイヤとを備え、前記ベルトまたはワイヤが前記巻取りローラから巻戻されるとき、前記取付けブラケットが前記引出とともに所定位置まで下降し、さらに前記引出を斜め前方に引出すことを特徴とする昇降引出装置。
【請求項２】
前記ベルトまたはワイヤは、前記巻取りローラに一端が固定されてから、前記互いに交差するパンタグラフの交差点に取り付けられるガイドローラと、前記上面部の下側に取付けられるガイドローラとに掛けられ、前記取付けブラケットに取付けられたガイドローラに掛けられることを特徴とする請求項１に記載の昇降引出装置。
【請求項３】
前記ベルトまたはワイヤは、前記取付けブラケットに取付けられたガイドローラに掛けられてから、前記引出の側面前方に取付けられたガイドローラで折り返され、前記取付けブラケットに固定されたベルト固定部に他端が固定されることを特徴とする請求項１に記載の昇降引出装置。
【発明の詳細な説明】
【技術分野】
【０００１】  本発明は、車椅子に座った人用のキッチンで台所作業をするとき、使用する料理用品類を容易に用意することができる昇降引出装置に関する。
【背景技術】
【０００２】  一般家庭で使用されるキッチンは壁側に設置され、台所作業が行われているが、キッチンの下方が車椅子の邪魔になり、車椅子に座った人にとっては台所の作業を行うことは困難であった。そのため、キッチンの下側に空間を形成し、車椅子に座ったままでも台所作業をすることができるようにしたものがある（例えば、特許文献１参照）。【０００３】
【特許文献１】      特開平１１−１２７９９１号公報
【発明の開示】
【発明が解決しようとする課題】
【０００４】  しかしながら、この車椅子に座った人用のキッチンには、次のような問題があった。
上記したように、車椅子に座った人用のキッチンは、下側に空間を形成し、車椅子に座ったままでも台所作業をすることができるが、キッチンの下側に空間を形成しているため、引出やキャビネットは取除かれており、台所作業のときに使用する調味料類や、食器類や、調理用具などの料理用品類は、別途離れた棚などから持ち出さねばならず、煩わしい作業をしなければならなかった。
本発明は、上記の問題に鑑みてなされたものであって、車椅子に座った人用のキッチンで車椅子に座った人が台所作業をするとき、使用する料理用品類を容易に用意することができる昇降引出装置を提供することを目的とする。
【課題を解決するための手段】
【０００５】  本発明の昇降引出装置は、箱体の上面部の下側に取付けられるパンタグラフ機構と、前記パンタグラフ機構に取付けられ、前記パンタグラフ機構により上下方向に移動可能の取付けブラケットと、前記取付けブラケットにスライダを介し斜め前方に移動可能に取付けられる引出と、前記上面部の下側に取付けられる巻取りローラに一端が固定され、前記取付けブラケットに取付けられたガイドローラに掛けられ、他端が前記引出の端部に固定されるベルトまたはワイヤとを備え、前記ベルトまたはワイヤが前記巻取りローラから巻戻されるとき、前記取付けブラケットが前記引出とともに所定位置まで下降し、さらに前記引出を斜め前方に引出すこととした。
また、前記ベルトまたはワイヤは、前記巻取りローラに一端が固定されてから、前記互いに交差するパンタグラフの交差点に取り付けられるガイドローラと、前記上面部の下側に取付けられるガイドローラとに掛けられ、前記取付けブラケットに取付けられたガイドローラに掛けられることとした。
さらに、前記ベルトまたはワイヤは、前記取付けブラケットに取付けられたガイドローラに掛けられてから、前記引出の側面前方に取付けられたガイドローラで折り返され、前記取付けブラケットに固定されたベルト固定部に他端が固定されることとした。
【発明の効果】
【０００６】  本発明の昇降引出装置は、箱体の上面部の下側に取付けられるパンタグラフ機構と、前記パンタグラフ機構に取付けられ、前記パンタグラフ機構により上下方向に移動可能の取付けブラケットと、前記取付けブラケットにスライダを介し斜め前方に移動可能に取付けられる引出と、前記上面部の下側に取付けられる巻取りローラに一端が固定され、前記取付けブラケットに取付けられたガイドローラに掛けられ、他端が前記引出の端部に固定されるベルトまたはワイヤとを備え、前記ベルトまたはワイヤが前記巻取りローラから巻戻されるとき、前記取付けブラケットが前記引出とともに所定位置まで下降し、さらに前記引出を斜め前方に引出すこととしたため、車椅子に座った人用のキッチンに装着し、車椅子に座った人が台所作業をするときには、別途離れた棚などから料理用品類を持ち出すこともなく、使用する料理用品類を容易に用意することができる。
また、前記ベルトまたはワイヤは、前記巻取りローラに一端が固定されてから、前記互いに交差するパンタグラフの交差点に取り付けられるガイドローラと、前記上面部の下側に取付けられるガイドローラとに掛けられ、前記取付けブラケットに取付けられたガイドローラに掛けられることとしたため、引出を上昇させる上昇力を効率よく増大させることができる。
さらに、前記ベルトまたはワイヤは、前記取付けブラケットに取付けられたガイドローラに掛けられてから、前記引出の側面前方に取付けられたガイドローラで折り返され、前記取付けブラケットに固定されたベルト固定部に他端が固定されることとしたため、引出を引き戻す力を効率よく増大させることもできる。
【発明を実施するための最良の形態】
【０００７】  以下、本発明の実施の形態の昇降引出装置につき説明する。
【実施例１】
【０００８】  図１は、本発明の実施の形態の昇降引出装置が車椅子に座った人用のキッチンに取付けられたときの斜視図を示す。
図１に示すように、本発明の実施の形態の昇降引出装置２０は、下側に空間を形成した車椅子に座った人用のキッチン１０に装着されている。キッチン１０は、下側に空間を形成したキッチン本体１５の上部に上面部１１が設けられ、上面部１１には、周辺に水栓１２が取付けられ食器を洗うシンク１３と、料理用の加熱器１４とが取付けられている。
本発明の実施の形態の昇降引出装置２０は、通常、引出２１が昇降引出装置２０の上面部１１の下側に格納され、格納されている引出２１は、矢印Ｈに示すように下降するとともに、矢印Ｆに示すように引出すことができる。【０００９】  図２は、本発明の実施の形態の昇降引出装置の引出が格納されているときの側面図を示す。図３は、本発明の実施の形態の昇降引出装置の引出が取付けられる取付けブラケットの斜視図を示す。
図２に示すように、本発明の実施の形態の昇降引出装置２０は、引出２１と、引出２１を上下方向に移動可能とするパンタグラフ機構３０と、引出２１を昇降させる昇降機構５０とで構成されている。図２は、キッチン１０に装着した昇降引出装置２０の右側の側面図を示すが、左側に取付けられているものも同様の構造のため、昇降引出装置２０の説明は、図２により行うこととする。
パンタグラフ機構３０は、交差点のピン３１により互いに回転自在に連結した連結バー３２ａと、連結バー３２ｂとを備えている。連結バー３２ａの上端部は、上面部１１の下側に固定された上側ブラケット３３に明けられた長穴３３ａにピン３４ａにより回転自在でスライト可能に取付けられ、連結バー３２ａの下端部は、外側ブラケット４１にピン３４ｄにより回転自在に取付けられている。
連結バー３２ｂの上端部は、上側ブラケット３３にピン３４ｃにより回転自在に取付けられ、連結バー３２ｂの下端部は、外側ブラケット４１に明けられた長穴４１ａにピン３４ｂにより回転自在でスライト可能に取付けられている。連結バー３２ａと連結バー３２ｂとは、断面が下側に向けコの字形状をし、連結バー３２ａは連結バー３２ｂより横幅が狭くしてあるため、互いにピン３１により回転自在に連結することができる。
引出２１は、内側ブラケット４２の内側と、引出２１の側面との間に取付けられたスライダ４３により、斜め水平方向にスライド可能に取付けられている。スライダ４３は、ガイドレール４３ａとスライドレール４３ｂとで構成され、スライドレール４３ｂが引出２１の側面に固定され、ガイドレール４３ａが内側ブラケット４２の内側に固定されている。
外側ブラケット４１と内側ブラケット４２とは、図３に示すように、互いに平行に固定されて取付けブラケット４０となり、内側側方に引出２１が取付けられ、取付けブラケット４０の上面は、連結バー３２ａ、３２ｂとベルト５９とが挿通する長穴４４が明けられている。【００１０】  昇降機構５０は、モータ５１ａと減速ギヤ５１ｂとを備え、上側ブラケット３３に取付けられたモータユニット５１と、モータユニット５１に取付けられた巻取りローラ５２と、上側ブラケット３３の中央に取付けられたガイドローラ５３ａと、パンタグラフ機構３０の交差点のピン３１に取付けられたガイドローラ５３ｂと、上側ブラケット３３の中央でガイドローラ５３ａと並んで取付けられた５３ｃと、外側ブラケット４１に取付けられたガイドローラ５３ｄと、引出２１の側面前方に取付けられたガイドローラ５３ｅとで構成され、一端が巻取りローラ５２に取付けられガイドローラ５３ａ、５３ｂ、５３ｃ、５３ｄ、５３ｅに掛けられ、外側ブラケット４１に取付けられたベルト固定部５４に他端が固定されるベルト５９が装着されている。連結バー３２ａと連結バー３２ｂとには、ベルト５９が通るところに貫通穴（図示せず）が明けられており、ベルト５９と連結バー３２ａ、３２ｂとは干渉することはない。【００１１】  図４は、本発明の実施の形態の昇降引出装置の引出が下降したときの側面図を示す。
図４に示すように、本発明の実施の形態の昇降引出装置２０の引出２１は、図２に示すようにキッチン１０の上部内側に格納されているとき、モータユニット５１を作動させ矢印Ｋに示すように巻取りローラ５２を回動させると、ベルト５９が巻き戻され、パンタグラフ機構３０の互いに回転自在に連結した連結バー３２ａ、３２ｂの下端のピン３４ｂ、３４ｄが下降する。ピン３４ｂ、３４ｄが下降すると、ピン３４ｂ、３４ｄで支持されている取付けブラケット４０が下降し、取付けブラケット４０にスライダ４３を介し取付けられている引出２１も下降し、連結バー３２ａ、３２ｂが回転不可となる所定の位置で停止する。【００１２】  図５は、本発明の実施の形態の昇降引出装置の引出が下降し引出されたときの側面図を示す。
本発明の実施の形態の昇降引出装置２０の引出２１は、キッチン１０の上部内側に格納されているとき、モータユニット５１を作動させベルト５９が巻き戻されると、パンタグラフ機構３０の互いに回転自在に連結した連結バー３２ａ、３２ｂの下端のピン３４ｂ、３４ｄが下降し、取付けブラケット４０の下降とともに、引出２１も下降し所定の位置で停止する。
図５に示すように、さらに、モータユニット５１を引き続き作動させると、ベルト５９がさらに巻き戻され、ガイドローラ５３ｅに掛けられているところのベルト５９も緩み、ガイドローラ５３ｅが前方にスライド移動し、スライダ４３のスライドレール４３ｂがガイドレール４３ａより引き出され、引出２１は前方に引出される。【００１３】  以上述べたように、本発明の実施の形態の昇降引出装置２０は、車椅子に座った人用のキッチン１０の上部内側に格納されている引出２１がベルトを使用してパンタグラフ機構３０により下降し前方に簡潔構造で引出されることにより、車椅子に座った人が台所作業をするとき、別途離れた棚などから料理用品類を持ち出すこともなく、使用する料理用品類を容易に用意することができる。
また、台所作業をしないときには、引出２１は、キッチン１０の上部内側に格納されているため、外からは見えず、外観上好ましい状況にすることができる。
また、格納されていた引出２１が下降し前方に引出されたときには、引出２１は、車椅子に座った人にとって垂直方向に近い斜め下方に位置するため、料理用品類が見やすく、また、取り出し易い位置となる。
また、ベルト５９は、一端が巻取りローラ５２に取付けられ、上側ブラケット３３の中央に取付けられたガイドローラ５３ａと、パンタグラフ機構３０の交差点のピン３１に取付けられたガイドローラ５３ｂと、上側ブラケット３３の中央でガイドローラ５３ａと並んで取付けられた５３ｃとに掛けられているため、引出２１を上昇させる上昇力を増大させることができる。また、ベルト５９は、外側ブラケット４１に取付けられたガイドローラ５３ｄに掛けられてから、引出２１の側面前方に取付けられたガイドローラ５３ｅで折り返されベルト固定部５４に他端が固定されているため、引出２１を引き戻す力を増大させることもできる。【００１４】  なお、本発明の実施の形態の昇降引出装置のベルト１９は、外側ブラケット４１に取付けられたガイドローラ５３ｄの上方に巻取りローラ５２を設け、巻取りローラ５２から直接ガイドローラ５３ｄに掛けることもでき、また、ベルト固定部を引出２１の側面前方に取付け、ガイドローラ５３ｄから引出２１の側面前方に取付けたベルト固定部に固定し、より簡潔の構造にすることもできる。
また、本発明の実施の形態の昇降引出装置は、車椅子に座った人用のキッチンに限らず、その他さまざまの引出類にも使用することができ、また、複数個取付けるようにすることもできる。
さらに、本発明の実施の形態の昇降引出装置では、昇降機構５０にベルト５９を使用することとしたが、ワイヤなども同様に使用することができる。
【図面の簡単な説明】
【００１５】
【図１】  本発明の実施の形態の昇降引出装置が車椅子に座った人用のキッチンに取付けられたときの斜視図を示す。
【図２】  本発明の実施の形態の昇降引出装置の引出が格納されているときの側面図を示す。
【図３】  本発明の実施の形態の昇降引出装置の引出が取付けられる取付けブラケット斜視図を示す。
【図４】  本発明の実施の形態の昇降引出装置の引出が下降したときの側面図を示す。
【図５】  本発明の実施の形態の昇降引出装置の引出が下降し引出されたときの側面図を示す。
【符号の説明】
【００１６】  １０  キッチン
１１  上面部
２０  昇降引出装置
２１  引出
３０  パンタグラフ機構
３２ａ、３２ｂ  連結バー
３３  上側ブラケット
４０  取付けブラケット
４１  外側ブラケット
４２  内側ブラケット
４３  スライダ
４３ｂ  スライドレール
４３ａ  ガイドレール
５０  昇降機構
５１  モータユニット
５２  巻取りローラ
５３ａ、５３ｂ、５３ｃ、５３ｄ、５３ｅ  ガイドローラ
５９  ベルト
【図１】
2007185448.tif 000003
【図２】
2007185448.tif 000004
【図３】
2007185448.tif 000005
【図４】
2007185448.tif 000006
【図５】
2007185448.tif 000007